(57)【要約】  乗客シート用２２のトレーテーブルアセンブリ２０であって、シート２２の側方に配置されるとともに、シートバックからシートの前方の位置までの長さを有する水平レール３８、４０と、水平レール３８、４０に沿って水平に移動するように構成されたキャリッジアセンブリ４４と、キャリッジアセンブリ４４に取付けられたトレーテーブル３４であって、トレーテーブル３４がシートバックの側方で収納される垂直向きと、トレーテーブル３４がシートバックの前方に位置する水平向きと、の間で枢動されるように構成されたトレーテーブル３４と、を備える乗客シート用のトレーテーブルアセンブリ。【選択図】図１
2016515976.tif 000002
【特許請求の範囲】
【請求項１】
シートバックおよびシートボトムを備える乗客シート用トレーテーブルアセンブリであって、
前記乗客シートの側方に配置されるとともに、前記シートバックから前記シートの前方の位置までの長さを有する水平レールと、
前記水平レールの前記長さに沿って水平方向に移動するように構成されたキャリッジアセンブリと、
前記キャリッジアセンブリに取付けられたトレーテーブルであって、前記トレーテーブルが前記シートバックの側方で収納される垂直向きと、前記トレーテーブルが前記シートバックの前方に位置する水平向きと、の間で枢動されるように構成されたトレーテーブルと、を備えるトレーテーブルアセンブリ。
【請求項２】
前記水平レールと平行であるとともに、前記水平レールに連続的であるように構成されている第２水平レールをさらに備え、
前記キャリッジアセンブリは、同時に両方のレールに沿って移動するように構成される、請求項１に記載のトレーテーブルアセンブリ。
【請求項３】
前記水平レールと平行であり、かつ、垂直方向において前記水平レールの下側に配置されたレッジをさらに備え、
前記レッジは、前記水平レールの前記長さの一部に沿って連続的であり、前記キャリッジアセンブリが前記レッジより前方、かつ、前記レッジを離れるまで、前記キャリッジアセンブリと干渉し、前記キャリッジアセンブリが下降することを防止するように構成された、請求項１に記載のトレーテーブルアセンブリ。
【請求項４】
前記水平レールおよび前記レッジが収容されたハウジングをさらに備える、請求項３に記載のトレーテーブルアセンブリ。
【請求項５】
前記キャリッジアセンブリは、前記水平レールの前記長さに沿った摺動移動のため、直動軸受、転がり軸受、ローラースライド、滑り軸受、および、ローラーのうちの１つを備える、請求項１に記載のトレーテーブルアセンブリ。
【請求項６】
支持部材および支持ビームをさらに含み、
前記支持部材は、前記キャリッジアセンブリおよび前記支持ビームに枢着され、
前記支持ビームは、前記トレーテーブルを水平に片持された向きに支持しており、
前記支持ビームは、前記トレーテーブルが水平になるように枢動されるときに、前記支持ビームが垂直方向に下降するとともに、垂直に対しある角度へ枢動していくように、前記キャリッジアセンブリに沿って垂直方向に摺動するように構成されている、請求項１に記載のトレーテーブルアセンブリ。
【請求項７】
前記キャリッジアセンブリは、前記トレーテーブルの収納のため、前記トレーテーブルを持ち上げるためのばね力を提供するように構成された気体ばねを含む、請求項１に記載のトレーテーブルアセンブリ。
【請求項８】
前記気体ばねは、前記トレーテーブルが水平に対し４５°のとき、前記トレーテーブルの重心からの力を打ち消すようにサイズ決めされている、請求項７に記載のトレーテーブルアセンブリ。
【請求項９】
前記トレーテーブルが展開されている間、前記トレーテーブルの回転を制御するように構成されたダンパをさらに備える、請求項１に記載のトレーテーブルアセンブリ。
【請求項１０】
航空機乗客シートであって、
シートボトムおよびシートバックを有するシートと、
前記シートの側方に配置されるトレーテーブルアセンブリと、を備え、
前記トレーテーブルアセンブリは、
前記乗客シートの側方に配置されるとともに、前記シートバックから前記シートの前方の位置までの長さを有する水平レールと、
前記水平レールの前記長さに沿って水平方向に移動するように構成されたキャリッジアセンブリと、
前記キャリッジアセンブリに枢着されたトレーテーブルであって、前記トレーテーブルが前記シートバックの側方で収納される垂直向きと、前記トレーテーブルが前記シートバックの前方に位置する水平向きと、の間で枢動するように構成されたトレーテーブルと、を備えている、
航空機乗客シート。
【請求項１１】
前記第１水平レールと平行であるともに、前記第１水平レールに連続的であるように構成された第２水平レールをさらに備え、
前記キャリッジアセンブリは、同時に両方のレールに沿って移動するように構成される、請求項１０に記載の航空機乗客シート。
【請求項１２】
前記水平レールと平行であり、かつ、垂直方向において前記水平レールの下側に配置されたレッジをさらに備え、
前記レッジは、前記水平レールの前記長さの一部に沿って連続的であり、前記キャリッジアセンブリが前記レッジより前方、かつ、前記レッジを離れるまで、前記キャリッジアセンブリと干渉し、前記キャリッジアセンブリが下降することを防止するように構成された、請求項１０に記載の航空機乗客シート。
【請求項１３】
前記シートの側方に配置され、前記水平レールおよび前記レッジが収容されるハウジングをさらに備える、請求項１０に記載の航空機乗客シート。
【請求項１４】
支持部材および支持ビームをさらに備え、
前記支持部材は、前記キャリッジアセンブリおよび前記支持ビームに枢着され、
前記支持ビームは、前記トレーテーブルを水平に片持ちされた向きに支持しており、
前記支持ビームは、前記トレーテーブルが水平に枢動されるときに、前記支持ビームが垂直方向に下降するとともに、垂直に対しある角度枢動していくように、前記キャリッジアセンブリに沿って垂直方向に摺動するように構成されている、請求項１０に記載の航空機乗客シート。
【請求項１５】
トレーテーブルを収納するため、前記トレーテーブルを持ち上がるためのばね力を提供するように構成された気体ばねと、トレーテーブルが展開されている間、トレーテーブルの回転を制御するように構成されたダンパと、をさらに備える、請求項１に記載のトレーテーブルアセンブリ。
【発明の詳細な説明】
【技術分野】
【０００１】
本発明は、概して乗客シートに関連するトレーテーブルアセンブリの分野に関し、詳細には、シートに隣接するレールに沿って摺動し、シートバック側方の収納垂直位置と、シートバックの前方の展開水平位置と、の間で移動するように構成されたトレーテーブルに関する。
【背景技術】
【０００２】
トレーテーブルは、乗客に、作業、食事等のために平坦で水平なテーブル面を提供するために、ほとんどすべての種類およびクラスの航空機シートに備えられている。一般的に、トレーテーブルは、地上走行、離陸および着陸など、非使用時のための収納位置と、飛行中に使用するための展開位置と、の間で移動するように構成される。エコノミークラスのシートでは、トレーテーブルは前のシートの背後に取付けられ、次の列の乗客が使用するために水平位置まで下方に枢動することが多い。前のシートがない位置のシートでは、一般的に、トレーテーブルは、シート側方の縦型ポケット内に収納される。このため、テーブル面を持ち上げ、枢動、および、乗客の膝上の適所まで回転させるために、複雑なヒンジアセンブリおよびアーマチュアを必要とする。
【０００３】
上述のシート配置のいずれにおいても、一般的に、従来型トレーテーブルは、シートへの出入りを可能にするために収納される必要がある。トレーテーブルを収納することは、テーブル面の水平方向の向きを変える必要があり、このためには、乗客が事前に物品を取り除くことが必要となる。これは、乗客が、例えば、トイレを使用するために、短い間だけ離席するつもりのとき、または、テーブル面が他の場所にしまうことが難しい食品や飲み物を載せているとき、特に不便である。シート側方の縦型ポケット内に格納するトレーテーブルは、その格納場所があることで複雑さ、および、重量が増してしまう点、貴重な床およびシート空間を消費するという点でも不利である。
【発明の概要】
【発明が解決しようとする課題】
【０００４】
従って、必要とされているのは、展開時、収納する必要なく退出を可能にするべく移動するように構成されるトレーテーブル、および、現在、別の目的のために使用されていない空間内に収納されるトレーテーブルである。そのようなトレーテーブルは、乗客の快適性および利便性を向上し、航空機客室内の限定された空間の使用を最大化するであろう。
【課題を解決するための手段】
【０００５】
第1の実施形態において、ここでは、シートバックおよびシートボトムを備える乗客シート用トレーテーブルアセンブリを提供する。概して、トレーテーブルアセンブリは、乗客シートの側方に配置されるとともに、シートバックからシートの前方の位置までの長さを有する水平レールと、水平レールの長さに沿って水平方向に移動するように構成されたキャリッジアセンブリと、キャリッジアセンブリに取付けられたトレーテーブルであって、トレーテーブルがシートバックの側方で収納される垂直向きと、トレーテーブルがシートバックの前方に位置する水平向きと、の間で枢動されるように構成されたトレーテーブルと、を備える。
【０００６】
さらなる実施形態において、トレーテーブルアセンブリは、水平レールと平行であるとともに、水平レールに連続的であるように構成されている第２水平レールを備えてもよく、キャリッジアセンブリは、同時に両方のレールに沿って移動するように構成される。
【０００７】
さらなる実施形態において、トレーテーブルアセンブリは、水平レールと平行であり、かつ、垂直方向において水平レールの下側に配置されたレッジを備えてもよく、レッジは、水平レールの長さの一部に沿って連続的であり、キャリッジアセンブリがレッジより前方、かつ、レッジを離れるまで、キャリッジアセンブリと干渉し、キャリッジアセンブリが下降することを防止するように構成される。
【０００８】
さらなる実施形態において、トレーテーブルアセンブリは、水平レールおよびレッジが収容されたハウジングを備えてもよい。
【０００９】
さらなる実施形態において、キャリッジアセンブリは、水平レールの長さに沿った摺動移動のため、直動軸受、転がり軸受、ローラースライド、滑り軸受、および、ローラーのうちの１つを備えてもよい。
【００１０】
さらなる実施形態において、トレーテーブルアセンブリは、支持部材および支持ビームを備えてもよく、支持部材は、キャリッジアセンブリおよび支持ビームに枢着され、支持ビームは、トレーテーブルを水平に片持された向きに支持しており、支持ビームは、トレーテーブルが水平になるように枢動されるときに、支持ビームが垂直方向に下降するとともに、垂直に対しある角度へ枢動していくように、キャリッジアセンブリに沿って垂直方向に摺動するように構成されている。
【００１１】
さらなる実施形態において、キャリッジアセンブリは、トレーテーブルの収納のため、トレーテーブルを持ち上げるためのばね力を提供するように構成された気体ばねを備えてもよく、気体ばねは、トレーテーブルが水平に対し４５°のとき、トレーテーブルの重心からの力を打ち消すようにサイズ決めされていてもよい。
【００１２】
さらなる実施形態において、トレーテーブルアセンブリは、トレーテーブルが展開されている間、トレーテーブルの回転を制御するように構成されたダンパをさらに備えてもよい。
【００１３】
本発明の第２実施形態において、ここでは、シートボトムおよびシートバックを有するシートと、シートの側方に配置されるトレーテーブルアセンブリと、を備える航空機乗客シートを提供する。トレーテーブルアセンブリは、乗客シートの側方に配置されるとともに、シートバックからシートの前方の位置までの長さを有する水平レールと、水平レールの長さに沿って水平方向に移動するように構成されたキャリッジアセンブリと、キャリッジアセンブリに枢着されたトレーテーブルであって、トレーテーブルがシートバックの側方で収納される垂直向きと、トレーテーブルがシートバックの前方に位置する水平向きと、の間で枢動するように構成されたトレーテーブルと、を備えてもよい。
【００１４】
さらなる実施形態において、トレーテーブルアセンブリは、第１水平レールと平行であるともに、第１水平レールに連続的であるように構成された第２水平レールを備えてもよく、キャリッジアセンブリは、同時に両方のレールに沿って移動するように構成される。
【００１５】
さらなる実施形態において、トレーテーブルアセンブリは、水平レールと平行であり、かつ、垂直方向において水平レールの下側に配置されたレッジを備えてもよく、レッジは、水平レールの長さの一部に沿って連続的であり、キャリッジアセンブリがレッジより前方、かつ、レッジを離れるまで、キャリッジアセンブリと干渉し、キャリッジアセンブリが下降することを防止するように構成される。
【００１６】
さらなる実施形態において、トレーテーブルアセンブリは、シートの側方に配置され、水平レールおよびレッジが収容されるハウジングをさらに備えてもよい。
【００１７】
さらなる実施形態において、トレーテーブルアセンブリは、支持部材および支持ビームを備えてもよく、支持部材は、キャリッジアセンブリおよび支持ビームに枢着され、支持ビームは、トレーテーブルを水平に片持ちされた向きに支持しており、支持ビームは、トレーテーブルが水平に枢動されるときに、支持ビームが垂直方向に下降するとともに、垂直に対しある角度枢動していくように、キャリッジアセンブリに沿って垂直方向に摺動するように構成される。
【００１８】
さらなる実施形態において、トレーテーブルアセンブリは、トレーテーブルを収納するため、トレーテーブルを持ち上がるためのばね力を提供するように構成された気体ばねと、トレーテーブルが展開されている間、トレーテーブルの回転を制御するように構成されたダンパを備えてもよい。
【００１９】
本発明の実施形態は、上記の特徴および構成の1つまたは複数の組合せを備えていてもよい。
【００２０】
本発明のさらなる特徴、態様、および有利性は、後に続く詳細な記載に記載され、およびある程度、その記載から当業者に容易に明らかになり、または本明細書に記載されるように本発明を実行することによって理解されるだろう。前述の概略的な記載および以下の詳細な記載の両方が、本発明の様々な実施形態を示し、および特許請求される本発明の特性および特徴を理解する概要または構想を提供することを目的としていることを理解すべきである。添付の図面は本発明のより深い理解を提供することを目的とし、本明細書に組み込まれ、その一部を構成する。
【００２１】
本発明の特徴、態様および有利性は、以下の本発明の詳細な記載が添付の図面を参照して読まれるとき、より深く理解される。
【図面の簡単な説明】
【００２２】
【図１】航空機乗客シートに備えられる本発明の実施形態によるトレーテーブルアセンブリの等角図である。
【図２】シートバックに並んで、垂直に収納されたトレーを示す、トレーテーブルアセンブリおよびトレーテーブルアセンブルを備えたシートの別の等角図である。
【図３】レールに沿って前方に摺動されており、垂直向きのトレーテーブルを示す。
【図４】水平に展開されたトレーテーブルを示す。
【図５】水平に展開され、シートから離れて前方に水平に移動されたトレーテーブルを示す。
【図６】シートからの退出を可能にするためにシートから離れて前方に水平に移動されたトレーテーブルを示す上面図である。
【図７】トレーテーブルがシートの側方で摺動する水平レールの配置を示す等角図である。
【図８】トレーテーブルおよびキャリッジアセンブリの等角図である。
【図９】図８のトレーテーブルおよびキャリッジアセンブリの詳細図である。
【図１０】キャリッジおよびトレーテーブルの移動の詳細を示す。
【図１１Ａ】垂直向きから水平向きへのトレーテーブルの展開を示す連続した図である。
【図１１Ｂ】垂直向きから水平向きへのトレーテーブルの展開を示す連続した図である。
【図１１Ｃ】垂直向きから水平向きへのトレーテーブルの展開を示す連続した図である。
【発明を実施するための形態】
【００２３】
以下、本発明の例示的な実施形態を示す添付の図面を参照して、本発明をより完全に説明する。しかしながら、本発明は、多くの異なる形式で具現されてもよく、本明細書に記載される典型的な実施形態に限定されるものとして解釈されるべきではない。これらの例示的な実施形態は、本開示が徹底的かつ完全なものとなり、かつ発明の範囲を十分に伝え、かつ当業者の一人が本発明を行い、使用しかつ実施できるように提供される。様々な図面を通じて、類似の参照数字は類似の要素を指す。
【００２４】
図１〜６を参照すると、本発明の実施形態によるトレーテーブルアセンブリは、全体的に参照番号２０で示されている。トレーテーブルアセンブリ２０は、着席した乗客が使用するため、航空機シート２２の側方に配置されている状態で示されている。シート２２は、いずれかの種類のシート、例えば、浅いリクライニングに制限されるエコノミークラスのシート、または、垂直位置とフルフラット位置の間で移動するように構成された高級クラスのシートであることができる。一般的に、シート２２は、シートバック２４と、シートボトム２６と、レッグレスト２８と、アームレスト３０と、を備え、そのそれぞれは、様々な着席位置を得るために独立して、または、協働して移動し得る。シート２２は、数あるシートの種類の中でもとりわけ、横方向に隣接するシート列の一部、一群のネスト型シートおよび／またはスイートの一部、または隔離されたシートであり得る。示されるように、パーテーションまたはプライバシーシェル３２がシート２２の後ろに配置される。トレーテーブルアセンブリ２０は、シート２２の側方に配置され、シートの長手軸と実質的に平行に整列される。トレーテーブルアセンブリ２０全体は、シート２２にほぼ等しいかまたはシート２２より長い長さを有する。それにより、以下で詳細に記載するように、トレーテーブル３４は、シートバック２４に並んでいる位置またはわずかに後ろの収納位置からシート２２の前の展開水平位置まで水平に移動できる。
【００２５】
図１および２に示すように、トレーテーブル３４は、垂直方向においてアームレスト３０の上側で、シートバック２４に並んで、垂直またはほぼ垂直に収納されるように構成される。収納位置において、トレーテーブル３４は、シートバック２４と航空機の内側の壁との間の空間、または隣接するシートバック同士の間の空間を占有する。どちらの空間も、本発明の前はトレーテーブルの収納に利用されてこなかった。空間が十分である場合、トレーテーブル３４は、シートバック２４の横で完全に収納されるときに垂直であってもよい。内側の壁の曲率およびトレーテーブル３４の長さがトレーテーブルを垂直に収納するのに十分でないシート構成では、トレーテーブルは垂直に対しわずかに角度を付けて収納されてもよい。トレーテーブル３４は、完全に収納されるときに、任意選択的に内側の壁またはシートバック２４の方に傾斜してもよい。トレーテーブルアセンブリ２０は、航空機の内側の壁、シートのフレームおよびプライバシーシェル３２の１つまたは複数に固定および支持されていてもよい。
【００２６】
一般的に、トレーテーブルアセンブリ２０は、以下で詳細に記載するようなトレーテーブル３４と、少なくとも１つの水平レールを収容するハウジング３６と、トレーテーブルをレールに沿って移動させるためのキャリッジアセンブリ４４と、を備える。ハウジング３６は、シート２２の側方に固定されてもよいし、または、水平に移動（例えば摺動）するように構成されていてもよい。キャリッジアセンブリ４４は、水平レールの長さに沿って水平に移動（例えば摺動）し、トレーテーブル３４を垂直位置と水平位置の間で回転させるように構成される。従って、ハウジング３６は、シート２２に対して前方または後方に平行移動してもよく、キャリッジアセンブリはハウジング３６に対して平行移動し、トレーテーブル３４を一緒に運ぶ。ハウジング３６および／またはキャリッジアセンブリ４４の移動の長さは、数ある要素の中でもとりわけ、１つまたは複数のシート長さ、シートリクライニングの範囲、およびシート２２の前方および後方の利用できる空間の量に依存してもよい。ハウジング長さおよび形状は、設置場所、内側の壁の形状、シートと内側の壁の間の利用できる空間の量、シート間の空間の量、シートの種類およびフレーム等に基づいてカスタマイズされてもよい。
【００２７】
図３および４を参照すると、乗客制御ユニットを介した乗客からの入力などによって命令され、自動リニアアクチュエーションなどを介して、トレーテーブルおよび／またはハウジング３６をシート２２に対して前方に摺動することによって、トレーテーブル３４は展開される。ハウジング３６が摺動する実施形態では、ハウジング３６が経路の第１の部分を前方に摺動し、トレーテーブル３４が残りの部分を前方に摺動してもよい。支持キャリッジアセンブリ４４が、以下に記載するような下に横たわるあらゆる妨害物を通過するのに十分な量、レールに沿って前方に水平に移動すると、トレーテーブル３４は水平に展開できる。
【００２８】
図５および６を参照すると、トレーテーブル３４が展開されると、トレーテーブルを収納することなくシートからの退出を許容するため、トレーテーブル３４をシートから離して位置付けるように、キャリッジアセンブリ４４は所定の距離水平に移動できる。
【００２９】
図７を参照すると、ハウジング３６は、第１水平レール３８と、第２水平レール４０と、レッジ４２とを収容する。第１及び第２レール３８、４０は、互いに平行に配置され、それぞれのレールは、シートバック２４からシート２２の前の位置まで延在する長さを有する。離間したレール構成は、トレーテーブルがねじられることを防止するために提供されてもよいし、レールはキャリッジアセンブリが同時に両方に沿って移動するように連続的であってもよい。レールの長さは、所望の移動長さ、及び、シート２２の前方で利用できる空間の量に依存してカスタマイズされてもよい。
【００３０】
レッジ４２は、第１水平レール３８と平行であり、かつ、垂直方向においてその下側に配置される。レッジ４２は、シートバック２４から前方へ第１水平レール３８の長さの一部に沿って連続的であるが、第１水平レール３８の前方端部まで延びる手前で終端する。この構成によれば、レッジ４２は、第１水平レール３８とレッジ４２の同延部分に沿ってキャリッジアセンブリ４４と干渉する働きをし、キャリッジアセンブリ４４が垂直方向に下がり、トレーテーブル３４を水平に展開することを防止する。キャリッジアセンブリ４４がレッジ４２を越えて前方へ移動すると、キャリッジアセンブリ４４は自由に下がることができ、トレーテーブルを水平に回転させる。この構成は、レッジ４２が、トレーテーブル３４が早期に水平に展開し、着席している乗客に落下することを防止する点で有利である。
【００３１】
図８〜１０を参照すると、トレーテーブル３４は、キャリッジ４４に支持され、運ばれる。キャリッジアセンブリは、第１部分および第２部分を備えてもよく、それらはレッジ４２を越えて垂直に整列し、トレーテーブル３４が水平に展開することを許容する。キャリッジアセンブリ４４は、少なくとも第１水平レール３８の長さに沿って水平に移動する。キャリッジアセンブリ４４の背後の案内ブロック５０は、各レールと係合し、各レールに沿って水平に移動する。レール３８、４０に沿った案内ブロック５０の摺動移動、及び、床に対するハウジング３６の摺動移動は、少なくとも１つの次元における案内運動のためのいずれかの形態の直線スライドを使用して達成されてもよく、例えば、直動軸受、転がり軸受、ローラー滑り台、滑り軸受、ローラー等を備えてもよい。
【００３２】
トレーテーブル３４は、その下側で支持部材５２に結合する。支持部材５２は、キャリッジアセンブリ４４の一端に枢着され、枢軸５４の周りで枢動することで、トレーテーブルを垂直位置および水平位置の間で移動させる。支持ビーム５６は、トレーテーブル３４を水平な片持ち位置に支持する。支持ビーム５６は、第１端部でキャリッジアセンブリ４４に枢着され、第２端部で支持部材５２に枢着される。支持ビーム５６は、さらにキャリッジアセンブリ４４に対して垂直に摺動し、それによりトレーテーブルが水平に向かう方向に移動するとき、支持ビーム５６の第１端部がキャリッジアセンブリ４４に対して垂直下方に移動し、支持ビーム５６の第２端部がキャリッジアセンブリ４４に対して外側に移動する。トレーテーブル３４が水平のとき、支持ビーム５６は垂直に対して斜めであり、下からトレーテーブルを支持する。図１０を参照すると、牽引性気体ばね５８は矢印６０で示される方向にばね力を提供し、収納のためのトレーテーブルの持上げを促す。支持ビーム５６はトレーテーブル３４が完全に展開されているときストッパ６６上に存在してもよく、これにより気体ばね５８は負荷経路から外される。展開運動は電動リニアアクチュエータによって制御されてもよく、この場合、気体ばねは不要である。
【００３３】
図１１Ａ〜Ｃを参照すると、トレーテーブル３４が約４５度の時に気体ばね力がトレーテーブルの重心からの力を打ち消すように、気体ばねはサイズ決めされてもよい。これにより転換点が生まれ、転換点より上でトレーテーブル３４は収納垂直位置の方へ回転し、転換点より下でトレーテーブルは展開水平位置へ回転するようになる。図１１Ａに示されるように、収納位置において、トレーテーブルの重心からの力は方向矢印７０で示されるように垂直方向に下向きであり、気体ばねからの力は方向矢印７２で示されるように垂直方向に上向きである。トレーテーブルの重心によってもたらされるモーメントは、約４５度より上では、気体ばねからの力によってもたらされるモーメントより弱く、従って、トレーテーブル３４は収納位置の方に回転するようになる。図１１Ｂに示されるように、これらの力７０、７２は約４５度において打ち消し合い、それによりトレーテーブルの回転モーメントは枢軸５４で作られない。図１１Ｃに示されるように、トレーテーブルの重心によってもたらされるモーメントは、約４５度より下で気体ばねを打ち負かし、トレーテーブル３４は展開水平位置に回転する。
【００３４】
図７に最良に示されるように、展開中のトレーテーブルの回転は、線速度制御ダンパによって制御されてもよく、および／または示されるような油圧ショックアブソーバ７４などのショックアブソーバによって制御下に停止されてもよい。
【００３５】
トレーテーブル３４は、それを移動および展開するために手で掴み、操作されてもよい。トレーテーブル３４の移動の回転範囲は例えば約９０度であってもよい。アセンブリ２０はさらに、解除機構、ラッチ、ロック、または移動、収納、解除およびトレーテーブルを展開位置または収納位置のどちらかにロックするための自動化支援を含んでもよい。
【００３６】
垂直に収納され且つ平行移動するトレーテーブルアセンブリの好ましい実施形態を上に記載してきたが、本発明の様々な細部は、本発明の範囲から逸脱することなく変更されてもよいことは明白である。さらに、本発明の実施形態および本発明を実行するための最良の形態の前述の記載は、例として提供され、制限するためのものでない。
【図１】
2016515976.tif 000003
【図２】
2016515976.tif 000004
【図３】
2016515976.tif 000005
【図４】
2016515976.tif 000006
【図５】
2016515976.tif 000007
【図６】
2016515976.tif 000008
【図７】
2016515976.tif 000009
【図８】
2016515976.tif 000010
【図９】
2016515976.tif 000011
【図１０】
2016515976.tif 000012
【図１１Ａ】
2016515976.tif 000013
【図１１Ｂ】
2016515976.tif 000014
【図１１Ｃ】
2016515976.tif 000015
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
シートバックおよびシートボトムを備える乗客シート用トレーテーブルアセンブリであって、
前記乗客シートの側方に配置されるとともに、前記シートバックから前記シートの前方の位置までの長さを有する水平レールと、
前記水平レールの前記長さに沿って水平方向に移動するように構成されたキャリッジアセンブリと、
前記キャリッジアセンブリに取付けられたトレーテーブルであって、前記トレーテーブルが前記シートバックの側方で収納される垂直向きと、前記トレーテーブルが前記シートバックの前方に位置する水平向きと、の間で枢動されるように構成されたトレーテーブルと、を備えるトレーテーブルアセンブリ。
【請求項２】
前記水平レールと平行であるとともに、前記水平レールに連続的であるように構成されている第２水平レールをさらに備え、
前記キャリッジアセンブリは、同時に両方のレールに沿って移動するように構成される、請求項１に記載のトレーテーブルアセンブリ。
【請求項３】
前記水平レールと平行であり、かつ、垂直方向において前記水平レールの下側に配置されたレッジをさらに備え、
前記レッジは、前記水平レールの前記長さの一部に沿って連続的であり、前記キャリッジアセンブリが前記レッジより前方、かつ、前記レッジを離れるまで、前記キャリッジアセンブリと干渉し、前記キャリッジアセンブリが下降することを防止するように構成された、請求項１に記載のトレーテーブルアセンブリ。
【請求項４】
前記水平レールおよび前記レッジが収容されたハウジングをさらに備える、請求項３に記載のトレーテーブルアセンブリ。
【請求項５】
前記キャリッジアセンブリは、前記水平レールの前記長さに沿った摺動移動のため、直動軸受、転がり軸受、ローラースライド、滑り軸受、および、ローラーのうちの１つを備える、請求項１に記載のトレーテーブルアセンブリ。
【請求項６】
支持部材および支持ビームをさらに含み、
前記支持部材は、前記キャリッジアセンブリおよび前記支持ビームに枢着され、
前記支持ビームは、前記トレーテーブルを水平に片持された向きに支持しており、
前記支持ビームは、前記トレーテーブルが水平になるように枢動されるときに、前記支持ビームが垂直方向に下降するとともに、垂直に対しある角度へ枢動していくように、前記キャリッジアセンブリに沿って垂直方向に摺動するように構成されている、請求項１に記載のトレーテーブルアセンブリ。
【請求項７】
前記キャリッジアセンブリは、前記トレーテーブルの収納のため、前記トレーテーブルを持ち上げるためのばね力を提供するように構成された気体ばねを含む、請求項１に記載のトレーテーブルアセンブリ。
【請求項８】
前記気体ばねは、前記トレーテーブルが水平に対し４５°のとき、前記トレーテーブルの重心からの力を打ち消すようにサイズ決めされている、請求項７に記載のトレーテーブルアセンブリ。
【請求項９】
前記トレーテーブルが展開されている間、前記トレーテーブルの回転を制御するように構成されたダンパをさらに備える、請求項１に記載のトレーテーブルアセンブリ。
【請求項１０】
航空機乗客シートであって、
シートボトムおよびシートバックを有するシートと、
前記シートの側方に配置されるトレーテーブルアセンブリと、を備え、
前記トレーテーブルアセンブリは、
前記乗客シートの側方に配置されるとともに、前記シートバックから前記シートの前方の位置までの長さを有する水平レールと、
前記水平レールの前記長さに沿って水平方向に移動するように構成されたキャリッジアセンブリと、
前記キャリッジアセンブリに枢着されたトレーテーブルであって、前記トレーテーブルが前記シートバックの側方で収納される垂直向きと、前記トレーテーブルが前記シートバックの前方に位置する水平向きと、の間で枢動するように構成されたトレーテーブルと、を備えている、
航空機乗客シート。
【請求項１１】
前記水平レールと平行であるともに、前記水平レールに連続的であるように構成された第２水平レールをさらに備え、
前記キャリッジアセンブリは、同時に両方のレールに沿って移動するように構成される、請求項１０に記載の航空機乗客シート。
【請求項１２】
前記水平レールと平行であり、かつ、垂直方向において前記水平レールの下側に配置されたレッジをさらに備え、
前記レッジは、前記水平レールの前記長さの一部に沿って連続的であり、前記キャリッジアセンブリが前記レッジより前方、かつ、前記レッジを離れるまで、前記キャリッジアセンブリと干渉し、前記キャリッジアセンブリが下降することを防止するように構成された、請求項１０に記載の航空機乗客シート。
【請求項１３】
前記シートの側方に配置され、前記水平レールおよび前記レッジが収容されるハウジングをさらに備える、請求項１２に記載の航空機乗客シート。
【請求項１４】
支持部材および支持ビームをさらに備え、
前記支持部材は、前記キャリッジアセンブリおよび前記支持ビームに枢着され、
前記支持ビームは、前記トレーテーブルを水平に片持ちされた向きに支持しており、
前記支持ビームは、前記トレーテーブルが水平に枢動されるときに、前記支持ビームが垂直方向に下降するとともに、垂直に対しある角度枢動していくように、前記キャリッジアセンブリに沿って垂直方向に摺動するように構成されている、請求項１０に記載の航空機乗客シート。
【請求項１５】
トレーテーブルを収納するため、前記トレーテーブルを持ち上がるためのばね力を提供するように構成された気体ばねと、トレーテーブルが展開されている間、トレーテーブルの回転を制御するように構成されたダンパと、をさらに備える、請求項１に記載のトレーテーブルアセンブリ。
【手続補正２】
【補正対象書類名】明細書
【補正対象項目名】００３６
【補正方法】変更
【補正の内容】
【００３６】
垂直に収納され且つ平行移動するトレーテーブルアセンブリの好ましい実施形態を上に記載してきたが、本発明の様々な細部は、本発明の範囲から逸脱することなく変更されてもよいことは明白である。さらに、本発明の実施形態および本発明を実行するための最良の形態の前述の記載は、例として提供され、制限するためのものでない。  以下の項目は、国際出願時の特許請求の範囲に記載の要素である。
（項目１）
シートバックおよびシートボトムを備える乗客シート用トレーテーブルアセンブリであって、
前記乗客シートの側方に配置されるとともに、前記シートバックから前記シートの前方の位置までの長さを有する水平レールと、
前記水平レールの前記長さに沿って水平方向に移動するように構成されたキャリッジアセンブリと、
前記キャリッジアセンブリに取付けられたトレーテーブルであって、前記トレーテーブルが前記シートバックの側方で収納される垂直向きと、前記トレーテーブルが前記シートバックの前方に位置する水平向きと、の間で枢動されるように構成されたトレーテーブルと、を備えるトレーテーブルアセンブリ。
（項目２）
前記水平レールと平行であるとともに、前記水平レールに連続的であるように構成されている第２水平レールをさらに備え、
前記キャリッジアセンブリは、同時に両方のレールに沿って移動するように構成される、項目１に記載のトレーテーブルアセンブリ。
（項目３）
前記水平レールと平行であり、かつ、垂直方向において前記水平レールの下側に配置されたレッジをさらに備え、
前記レッジは、前記水平レールの前記長さの一部に沿って連続的であり、前記キャリッジアセンブリが前記レッジより前方、かつ、前記レッジを離れるまで、前記キャリッジアセンブリと干渉し、前記キャリッジアセンブリが下降することを防止するように構成された、項目１に記載のトレーテーブルアセンブリ。
（項目４）
前記水平レールおよび前記レッジが収容されたハウジングをさらに備える、項目３に記載のトレーテーブルアセンブリ。
（項目５）
前記キャリッジアセンブリは、前記水平レールの前記長さに沿った摺動移動のため、直動軸受、転がり軸受、ローラースライド、滑り軸受、および、ローラーのうちの１つを備える、項目１に記載のトレーテーブルアセンブリ。
（項目６）
支持部材および支持ビームをさらに含み、
前記支持部材は、前記キャリッジアセンブリおよび前記支持ビームに枢着され、
前記支持ビームは、前記トレーテーブルを水平に片持された向きに支持しており、
前記支持ビームは、前記トレーテーブルが水平になるように枢動されるときに、前記支持ビームが垂直方向に下降するとともに、垂直に対しある角度へ枢動していくように、前記キャリッジアセンブリに沿って垂直方向に摺動するように構成されている、項目１に記載のトレーテーブルアセンブリ。
（項目７）
前記キャリッジアセンブリは、前記トレーテーブルの収納のため、前記トレーテーブルを持ち上げるためのばね力を提供するように構成された気体ばねを含む、項目１に記載のトレーテーブルアセンブリ。
（項目８）
前記気体ばねは、前記トレーテーブルが水平に対し４５°のとき、前記トレーテーブルの重心からの力を打ち消すようにサイズ決めされている、項目７に記載のトレーテーブルアセンブリ。
（項目９）
前記トレーテーブルが展開されている間、前記トレーテーブルの回転を制御するように構成されたダンパをさらに備える、項目１に記載のトレーテーブルアセンブリ。
（項目１０）
航空機乗客シートであって、
シートボトムおよびシートバックを有するシートと、
前記シートの側方に配置されるトレーテーブルアセンブリと、を備え、
前記トレーテーブルアセンブリは、
前記乗客シートの側方に配置されるとともに、前記シートバックから前記シートの前方の位置までの長さを有する水平レールと、
前記水平レールの前記長さに沿って水平方向に移動するように構成されたキャリッジアセンブリと、
前記キャリッジアセンブリに枢着されたトレーテーブルであって、前記トレーテーブルが前記シートバックの側方で収納される垂直向きと、前記トレーテーブルが前記シートバックの前方に位置する水平向きと、の間で枢動するように構成されたトレーテーブルと、を備えている、
航空機乗客シート。
（項目１１）
前記第１水平レールと平行であるともに、前記第１水平レールに連続的であるように構成された第２水平レールをさらに備え、
前記キャリッジアセンブリは、同時に両方のレールに沿って移動するように構成される、項目１０に記載の航空機乗客シート。
（項目１２）
前記水平レールと平行であり、かつ、垂直方向において前記水平レールの下側に配置されたレッジをさらに備え、
前記レッジは、前記水平レールの前記長さの一部に沿って連続的であり、前記キャリッジアセンブリが前記レッジより前方、かつ、前記レッジを離れるまで、前記キャリッジアセンブリと干渉し、前記キャリッジアセンブリが下降することを防止するように構成された、項目１０に記載の航空機乗客シート。
（項目１３）
前記シートの側方に配置され、前記水平レールおよび前記レッジが収容されるハウジングをさらに備える、項目１０に記載の航空機乗客シート。
（項目１４）
支持部材および支持ビームをさらに備え、
前記支持部材は、前記キャリッジアセンブリおよび前記支持ビームに枢着され、
前記支持ビームは、前記トレーテーブルを水平に片持ちされた向きに支持しており、
前記支持ビームは、前記トレーテーブルが水平に枢動されるときに、前記支持ビームが垂直方向に下降するとともに、垂直に対しある角度枢動していくように、前記キャリッジアセンブリに沿って垂直方向に摺動するように構成されている、項目１０に記載の航空機乗客シート。
（項目１５）
トレーテーブルを収納するため、前記トレーテーブルを持ち上がるためのばね力を提供するように構成された気体ばねと、トレーテーブルが展開されている間、トレーテーブルの回転を制御するように構成されたダンパと、をさらに備える、項目１に記載のトレーテーブルアセンブリ。
【国際調査報告】
2016515976.tif 000016
2016515976.tif 000017
2016515976.tif 000018